(57)【要約】【課題】ユーザインタフェイス（以下ＵＩ）において、同一ＵＩ上に表示される設定項目に関連した機能説明や補足等の文字や図等の情報について、設定項目の変更操作を行った際に、変更に伴い表示情報の中でユーザへ強調通知するべき、あるいは連動して内容変更された情報の表示状態も変更することで、ＵＩ上での変更操作に伴う重要な情報に対してのユーザ認識度を向上させる。【解決手段】プリンタ等の周辺機器と接続されるコンピュータ上で周辺機器、コンピュータ環境、動作等の制御方法を指定する設定手段であるＵＩと、設定内容を保存・取得する手段と、設定項目に関連した機能説明や補足等を文字や図等で情報表示する手段と、設定変更に伴いユーザへ強調通知する、あるいは連動して変更される情報が存在するかを判断する手段と、判断結果により該当情報の表示状態を決定する手段と、決定結果による該当情報表示を行う手段とを有するＵＩ。【選択図】　　　　図１
2004030165.tif 000002
【特許請求の範囲】
【請求項１】
プリンタ装置等の周辺機器と接続されるコンピュータ端末装置（以下コンピュータ）上で周辺機器、あるいはコンピュータの環境、動作等の制御方法を指定する設定手段（主にグラフィックスユーザインタフェイス（以下ＧＵＩ）により構築された画面）であるユーザインタフェイスと、
前記設定手段であるユーザインタフェイス上で設定した設定内容を保存する手段と、
前記保存手段により保存した前記設定内容を取得する手段と、
前記設定手段であるユーザインタフェイス上の設定項目に関連した機能説明や補足等を、設定項目を有する前記設定手段であるユーザインタフェイス上に、文字や図等の項目として表示する手段とを有するユーザインタフェイスにおいて、
前記設定手段であるユーザインタフェイス上の設定変更に伴い、前記表示手段により表示される項目の中でユーザへの通知を強調する項目が存在するかを判断する手段と、
前記判断手段による前記強調通知項目の存在有無の判断結果によって、前記強調通知項目が存在する場合に前記設定手段であるユーザインタフェイス上の前記強調通知項目の表示状態を決定する手段とを備え、
前記表示手段において前記決定手段による決定結果に応じた前記強調通知項目の表示を行う
ことを特徴とするユーザインタフェイス。
【請求項２】
前記設定手段であるユーザインタフェイス上の設定変更に伴い、前記表示手段により表示される項目の中で連動して内容が変更される項目が存在するかを判断する手段と、
前記判断手段による連動項目の存在有無の判断結果によって、前記連動項目が存在する場合に前記設定手段であるユーザインタフェイス上の前記連動項目の表示内容を取得する手段と、
前記判断手段による前記連動項目の存在有無の判断結果によって、前記連動項目が存在する場合に前記設定手段であるユーザインタフェイス上の前記連動項目の表示状態を決定する手段とを備え、
前記表示手段において前記決定手段による決定結果に応じた前記連動項目の表示を行う
ことを特徴とする請求項１に記載のユーザインタフェイス。
【請求項３】
前記設定手段であるユーザインタフェイスは、ユーザインタフェイス上の各設定項目に対し、キーボード、マウス、タブレットといった入力機器、あるいはスクリーンタッチ等による選択、および設定操作をする手段と、前記操作手段により選択、および設定が行われた際に、前記表示手段において前記強調通知項目、および前記連動項目の表示をする
ことを特徴とする請求項２に記載のユーザインタフェイス。
【請求項４】
プリンタ装置等の周辺機器と接続されるコンピュータ上で周辺機器、あるいはコンピュータの環境、動作等の制御方法を指定する設定手段（主にＧＵＩにより構築された画面）であるユーザインタフェイスと、
前記設定手段であるユーザインタフェイス上で設定した設定内容を保存するステップと、
前記保存手段により保存した前記設定内容を取得するステップと、
前記設定手段であるユーザインタフェイス上の設定項目に関連した機能説明や補足等を、設定項目を有する前記設定手段であるユーザインタフェイス上に、文字や図等の項目として表示するステップとを有するユーザインタフェイスにおいて、
前記設定手段であるユーザインタフェイス上の設定変更に伴い、前記表示手段により表示される項目の中でユーザへの通知を強調する項目が存在するかを判断するステップと、
前記判断手段による前記強調通知項目の存在有無の判断結果によって、前記強調通知項目が存在する場合に前記設定手段であるユーザインタフェイス上の前記強調通知項目の表示状態を決定するステップとを備え、
前記表示手段において前記決定手段による決定結果に応じた前記強調通知項目の表示を行う
ことを特徴とするユーザインタフェイス。
【請求項５】
前記設定手段であるユーザインタフェイス上の設定変更に伴い、前記表示手段により表示される項目の中で連動して内容が変更される項目が存在するかを判断するステップと、
前記判断手段による連動項目の存在有無の判断結果によって、前記連動項目が存在する場合に前記設定手段であるユーザインタフェイス上の前記連動項目の表示内容を取得するステップと、
前記判断手段による前記連動項目の存在有無の判断結果によって、前記連動項目が存在する場合に前記設定手段であるユーザインタフェイス上の前記連動項目の表示状態を決定するステップとを備え、
前記表示手段において前記決定手段による決定結果に応じた前記連動項目の表示を行う
ことを特徴とする請求項４に記載のユーザインタフェイス。
【請求項６】
前記設定手段であるユーザインタフェイスは、ユーザインタフェイス上の各設定項目に対し、キーボード、マウス、タブレットといった入力機器、あるいはスクリーンタッチ等による選択、および設定操作をするステップと、
前記操作手段により選択、および設定が行われた際に、前記表示ステップにおいて前記強調通知項目、および前記連動項目の表示をする
ことを特徴とする請求項５に記載のユーザインタフェイス。
【請求項７】
請求項６に記載の各ステップを含むことを特徴とするユーザインタフェイスのプログラムを記憶した記憶媒体。
【発明の詳細な説明】
【０００１】
【発明の属する技術分野】
本発明は、コンピュータに接続されたプリンタ装置等の周辺機器、あるいはコンピュータ端末自体をコンピュータ上で制御する際の設定手段、設定方法、および記憶媒体に関し、特に、予めコンピュータに接続されたディスプレイに表示されるユーザインタフェイス上で、同一ユーザインタフェイス上に表示される設定項目に関連した機能説明や補足等の文字や図等の情報表示について、設定項目の変更操作を行った際に、その変更に伴い表示情報の中でユーザへ強調通知するべき情報、あるいは連動して内容が変更された情報の表示状態も変更することにより、ユーザインタフェイス上での変更操作を行った際に、設定変更に伴う重要な情報に対してのユーザ認識度が向上するようにしたユーザインタフェイス、および当該方法のプログラムを記憶した記憶媒体に関するものである。
【０００２】
【従来の技術】
従来のユーザインタフェイスでは、設定項目に関連した機能説明や補足等を、設定項目を有するユーザインタフェイス上に、文字や図等の項目として情報を表示しているが、設定項目の変更操作を行った際に、設定変更に伴い表示されている情報の中でユーザへ強調通知するべき情報が存在しても、表示内容が同一のままであるが故、表示状態に全く変化がないため、ユーザは重要な情報を一切認識できなかった。
【０００３】
また、設定変更に伴い連動して内容が変更される情報に関しても、表示の切替えに要する時間は非常に短いため、表示変更されるタイミングを見逃すと、内容が変更されたことを認識できなかった。
【０００４】
このように、設定変更に伴う重要な情報を正しく通知できていなかった。
【０００５】
【発明が解決しようとする課題】
従来のユーザインタフェイスにおいては、設定項目に関連した機能説明や補足等を、設定項目を有するユーザインタフェイス上に、文字や図等の項目として情報を表示しているが、設定項目の変更操作を行った際に、設定変更に伴い表示されている情報の中でユーザへ強調通知するべき情報が存在しても、表示内容が同一のままであるが故、表示状態に全く変化がないため、ユーザは重要な情報を一切認識できなかった。
【０００６】
また、設定変更に伴い連動して内容が変更される情報に関しても、表示の切替えに要する時間は非常に短いため、表示変更されるタイミングを見逃すと、内容が変更されたことを認識できなかった。
【０００７】
このように、設定変更に伴う重要な情報を正しく通知できていないという問題があった。
【０００８】
本発明の目的は、従来のユーザインタフェイスにおいて、同一ユーザインタフェイス上に表示される設定項目に関連した機能説明や補足等の文字や図等の情報表示について、設定項目の変更操作を行った際に、その変更に伴い表示情報の中でユーザへ強調通知するべき情報、あるいは連動して内容が変更された情報の表示状態も変更することにより、ユーザインタフェイス上での変更操作を行った際に、設定変更に伴う重要な情報に対してのユーザ認識度が向上するユーザインタフェイスおよび記憶媒体を提供するものである。
【０００９】
【課題を解決するための手段】
上記の課題を解決するために、請求項１の本発明システムは、
プリンタ装置等の周辺機器と接続されるコンピュータ上で周辺機器、あるいはコンピュータの環境、動作等の制御方法を指定する設定手段（主にＧＵＩにより構築された画面）であるユーザインタフェイスと、前記設定手段であるユーザインタフェイス上で設定した前記設定内容を保存する手段と、前記保存手段により保存した前記設定内容を取得する手段と、
前記設定手段であるユーザインタフェイス上の設定項目に関連した機能説明や補足等を、設定項目を有する前記設定手段であるユーザインタフェイス上に、文字や図等の項目として表示する手段とを有するユーザインタフェイスにおいて、
前記設定手段であるユーザインタフェイス上の設定変更に伴い、前記表示手段により表示される項目の中でユーザへの通知を強調する項目が存在するかを判断する手段と、前記判断手段による前記強調通知項目の存在有無の判断結果によって、前記強調通知項目が存在する場合に前記設定手段であるユーザインタフェイス上の前記強調通知項目の表示状態を決定する手段とを備え、前記表示手段において前記決定手段による決定結果に応じた前記強調通知項目の表示を行うことを特徴とする。
【００１０】
また、請求項２の本発明システムは、請求項１において、
前記設定手段であるユーザインタフェイス上の設定変更に伴い、前記表示手段により表示される項目の中で連動して内容が変更される項目が存在するかを判断する手段と、
前記判断手段による連動項目の存在有無の判断結果によって、前記連動項目が存在する場合に前記設定手段であるユーザインタフェイス上の前記連動項目の表示内容を取得する手段と、前記判断手段による前記連動項目の存在有無の判断結果によって、前記連動項目が存在する場合に前記設定手段であるユーザインタフェイス上の前記連動項目の表示状態を決定する手段とを備え、前記表示手段において前記決定手段による決定結果に応じた前記連動項目の表示を行うようにしたものである。
【００１１】
また、請求項３の本発明システムは、請求項２において、
前記設定手段であるユーザインタフェイスは、ユーザインタフェイス上の各設定項目に対し、キーボード、マウス、タブレットといった入力機器、あるいはスクリーンタッチ等による選択、および設定操作をする手段と、前記操作手段により選択、および設定が行われた際に、前記表示手段において前記強調通知項目、および前記連動項目の表示をするようにしたものである。
【００１２】
上記の課題を解決するために、請求項４の本発明方法は、
プリンタ装置等の周辺機器と接続されるコンピュータ上で周辺機器、あるいはコンピュータの環境、動作等の制御方法を指定する設定手段（主にＧＵＩにより構築された画面）であるユーザインタフェイスと、前記設定手段であるユーザインタフェイス上で設定した前記設定内容を保存するステップと、前記保存手段により保存した前記設定内容を取得するステップと、前記設定手段であるユーザインタフェイス上の設定項目に関連した機能説明や補足等を、設定項目を有する前記設定手段であるユーザインタフェイス上に、文字や図等の項目として表示するステップとを有するユーザインタフェイスにおいて、
前記設定手段であるユーザインタフェイス上の設定変更に伴い、前記表示手段により表示される項目の中でユーザへの通知を強調する項目が存在するかを判断するステップと、
前記判断手段による前記強調通知項目の存在有無の判断結果によって、前記強調通知項目が存在する場合に前記設定手段であるユーザインタフェイス上の前記強調通知項目の表示状態を決定するステップとを備え、前記表示手段において前記決定手段による決定結果に応じた前記強調通知項目の表示を行うことを特徴とする。
【００１３】
また、請求項５の本発明方法は、請求項４において、
前記設定手段であるユーザインタフェイス上の設定変更に伴い、前記表示手段により表示される項目の中で連動して内容が変更される項目が存在するかを判断するステップと、
前記判断手段による連動項目の存在有無の判断結果によって、前記連動項目が存在する場合に前記設定手段であるユーザインタフェイス上の前記連動項目の表示内容を取得するステップと、前記判断手段による前記連動項目の存在有無の判断結果によって、前記連動項目が存在する場合に前記設定手段であるユーザインタフェイス上の前記連動項目の表示状態を決定するステップとを備え、前記表示手段において前記決定手段による決定結果に応じた前記連動項目の表示を行うようにしたものである。
【００１４】
また、請求項６の本発明方法は、請求項５において、
前記設定手段であるユーザインタフェイスは、ユーザインタフェイス上の各設定項目に対し、キーボード、マウス、タブレットといった入力機器、あるいはスクリーンタッチ等による選択、および設定操作をするステップと、前記操作手段により選択、および設定が行われた際に、前記表示ステップにおいて前記強調通知項目、および前記連動項目の表示をする
ようにしたものである。
【００１５】
上記の課題を解決するために、請求項７の本発明記憶媒体は、請求項６に記載の各ステップを含むことを特徴とするプリンタ制御方法のプログラムを記憶した。
【００１６】
上記構成の各発明によれば、
ユーザインタフェイス上で、設定項目の変更操作を行った際に、その変更に伴い表示情報の中でユーザへ強調通知するべき情報、あるいは連動して内容が変更された情報の表示状態も変更することにより、ユーザインタフェイス上での変更操作を行った際に、設定変更に伴う重要な情報に対してのユーザ認識度が向上し、設定変更に伴う重要な情報をより正しく通知することが可能となる。
【００１７】
【発明の実施の形態】
以下に、本発明の好適な実施の形態を図面を参照して詳細に説明する。
【００１８】
（実施の形態１）
図１は本発明の一実施の形態に係るプリンタ制御システムのブロック図であり、図１のシステムは、大略して、コンピュータ装置１０００とプリンタ３０００で構成される。
【００１９】
コンピュータ装置１０００は、ＣＰＵ１００１、ＲＡＭ１００２、ＲＯＭ１００３、ハードディスク記憶装置（ＨＤＤ）１００４、表示装置１００６、キーボード、マウス等の入力装置１００７を備える周知の構成であり、さらに、外部記憶装置１００５を備える。外部記憶装置１００５はたとえばＤＶＤ−ＲＯＭ、ＣＤ−ＲＯＭ、ＰＤ、ＭＯ、ＦＤ、ＪＡＺＺ（Ｒ）、ＪＩＰ（Ｒ）、各種磁気テープ等の装置に着脱自在な記憶メディアにデータ、プログラムを読み出し／書き込み自在に記憶するものである。ＲＡＭ１００２はＣＰＵ１００１のワークエリアやデータの一時記憶用に使用される。
【００２０】
コンピュータ装置１０００は、これら外部記憶装置１００５から各種アプリケーションソフト１１００や本発明プログラムを含めたプリンタドライバ２０００をハードディスク記憶装置（ＨＤＤ）１００４またはＲＡＭ１００２にロードしてＣＰＵ１００１によって実行する。プリンタドライバ２０００は、これにより特徴的な出力処理作用を発揮させるもので、図１では、プリンタドライバ２０００およびプリンタドライバ２０００により作成されるスプールファイル２１００はこれら媒体とは別に示している。
【００２１】
プリンタドライバ２０００は、その他の読み書き自在な各種記憶媒体にロードして実行することができる。また、ＲＯＭ、ＮＶＲＡＭ等の不揮発性メモリ素子に予め記憶させても構わないし、ネットワークを介して他の装置等と通信することで記憶装置にロードするようにしても構わない。
【００２２】
プリンタドライバ２０００が作成したプリンタデータは、送信処理部２０１０によってプリンタ３０００の受信処理部３０１０へ送信されるように構成されている。
【００２３】
また、プリンタドライバ２０００は以下の要素で成り立っている。
【００２４】
２００１は印刷データの出力処理方法の設定をユーザが変更する出力処理方法設定部であり、本発明プログラムを実装するユーザインタフェイスもここに含まれる。
【００２５】
２００２は出力処理方法設定部２００１で設定した印刷データの出力処理方法の設定を保存する出力処理方法保存部である。
【００２６】
２００３は出力処理方法保存部２００２で保存された印刷データの出力処理方法の設定（保存）を取得する出力処理方法取得部である。
【００２７】
２００４は出力処理方法取得部２００３で取得した出力処理方法の設定状態によって出力処理をフォアグラウンド／バックグラウンドを切替える出力処理方法切替部である。
【００２８】
２００６は出力処理方法切替部２００４で出力処理をバックグラウンドに切替えた場合に、印字データをスプールファイル２１００へ格納するスプールファイル書込み部である。
【００２９】
２００７はスプールファイル書込み部２００６で格納された印字データの出力順序表示、スプールファイルの格納先指定等を制御するスプールファイル制御部である。
【００３０】
２００８はスプールファイルから印刷データを読取るスプールファイル読取り部である。
【００３１】
２００５は出力処理方法取得部２００３で取得した出力処理方法の設定状態によって印刷データをビットマップデータに変換するビットマップデータ変換部である。
【００３２】
２００９はビットマップデータ変換部２００５で変換されたビットマップデータをプリンタ３０００が所望する印刷出力に適したデータ形式に変換するプリンタデータ変換部である。
【００３３】
２０１０はプリンタデータ変換部２００９で変換されたプリンタデータをプリンタに送信する送信処理部である。
【００３４】
図２は、以上の構成による本実施の形態のユーザインタフェイスを含むプリンタ制御システムにおける出力処理の動作を表わすフローチャートであり、本フローチャートにしたがった出力処理について、以下の図面を参照して詳細に説明する。
【００３５】
なお、図２において、２００１〜２０１０で示した図１中の要素による処理にステップ番号Ｓ０１〜Ｓ０１０を付してある。
【００３６】
まず、出力処理方法設定部Ｓ０１により、コンピュータ装置１０００上で印刷するデータの出力処理方法を設定する。なお、Ｓ０１は図３−１のようなＧＵＩにより構築されたユーザインタフェイスである。
【００３７】
図４は出力処理方法設定部Ｓ０１の動作を表わすフローチャートである。
【００３８】
ここでＳ０１の処理、出力処理方法設定モジュールについて詳細に説明する。
【００３９】
まず、マウス、タブレットといった入力機器、あるいはスクリーンタッチ等による出力処理方法の選択・設定操作のユーザ入力を判断する（Ｓ１０１）。
【００４０】
Ｓ１０１においてユーザ入力が発生していないと判断した場合はユーザの入力待ちとなる。
【００４１】
Ｓ１０１においてユーザ入力が発生したと判断した場合、選択・設定操作された出力処理方法の設定項目を取得する（Ｓ１０２）。
【００４２】
Ｓ１０２において取得した設定項目の変更に伴い、同一ユーザインタフェイス上に表示している情報表示項目の中で、連動して内容を変更する項目があるか判断する（Ｓ１０３）。
【００４３】
Ｓ１０３において連動する項目がないと判断した場合は、全ての情報表示項目の表示状態を通常表示状態にする（Ｓ１０４）。
【００４４】
Ｓ１０３において連動する項目があると判断された場合は、該当項目を取得する（Ｓ１０５）。
【００４５】
Ｓ１０５において取得した該連動項目以外の情報表示を通常表示状態にする（Ｓ１０６）。
【００４６】
Ｓ１０５において取得した該連動項目に表示する内容を取得する（Ｓ１０７）。
【００４７】
Ｓ１０５において取得した該連動項目に応じて表示状態を決定する（Ｓ１０８）。
【００４８】
Ｓ１０８で決定する表示状態は、該連動項目が文字列による表示であれば、文字列の表示色を使用環境に応じた目立つ色とする、ビットマップ等を使用した図柄による表示であれば、使用環境に応じた目立つ色線で図柄の周辺部を縁取るといったものである。
【００４９】
Ｓ１０８において決定した表示状態でＳ１０７において取得した表示内容を該連動項目に表示する（Ｓ１０９）。
【００５０】
Ｓ１０４において全ての情報表示を通常表示状態にした後、設定処理を終了するかを判断する（Ｓ１１０）。
【００５１】
Ｓ１１０において設定処理を終了しないと判断した場合は、再度ユーザ入力待ち状態となる。
【００５２】
Ｓ１１０において設定処理を終了すると判断した場合は、本モジュール処理から抜ける。
【００５３】
ここで図２に戻って説明する。
【００５４】
ユーザによる出力処理方法の設定が終了し、実際の印刷出力を行う場合は、出力処理方法保存部Ｓ０２により、Ｓ０１の出力処理方法で設定した出力処理方法を保存する。
【００５５】
出力処理方法取得部Ｓ０３により、出力処理方法保存部Ｓ０２で保存された出力処理方法の設定を取得する。出力処理方法切替部Ｓ０４によりＳ０３で取得された出力処理方法の設定に応じて印刷出力処理のフォアグラウンド／バックグラウンドの切替えを行う。
【００５６】
出力処理方法切替部Ｓ０４の切替え結果により印刷出力処理をフォアグラウンドで行う場合は、ビットマップデータ変換部Ｓ０５により印刷データ自体をビットマップデータに変換する。また、Ｓ０４の切替え結果により印刷出力処理をバックグラウンドで行う場合は、スプールファイル書込み部Ｓ０６により、印刷データを独自ファイル形式で指定した記憶媒体上のスプールファイル２１００に格納する。
【００５７】
ここで、Ｓ０６はスプールファイルの格納開始と同時にスプールファイル制御部Ｓ０７を起動する。Ｓ０７はスプールファイルの出力順序表示、格納先の指定等のスプールファイル制御を行う実行プログラムであり、図３−２のようなＧＵＩにより構築されたユーザインタフェイス画面を表示する。なお、Ｓ０７はＳ０６からの起動とは別に単独での起動も可能であり、この際も格納先の指定等ができるものとする。
【００５８】
スプールファイル読取り部Ｓ０８は、スプールファイルから印刷データの読取り処理を行う。なお、Ｓ０８は図３−３のようなＧＵＩにより構築されたユーザインタフェイス画面表示を行い、読取り状況を表示する。
【００５９】
Ｓ０５によりＳ０８で読取られた印刷データをビットマップデータに変換する。
【００６０】
プリンタデータ変換部Ｓ０９により、Ｓ０５で変換されたビットマップデータをプリンタ３０００が所望する印刷出力に適した形式のプリンタデータに変換する。
【００６１】
送信処理部Ｓ１０により、Ｓ０９で変換されたプリンタデータをプリンタ３０００に送信する。
【００６２】
実施の形態１に関しての表示例を図７で示す。
【００６３】
（実施の形態２）
図５は、本実施の形態のユーザインタフェイスを含むソフトウェア（アプリケーション、デバイスドライバ等）のインストール処理動作を表わすフローチャートであり、本フローチャートにしたがったインストール処理について、以下の図面を参照して詳細に説明する。
【００６４】
ソフトウェアのインストールを行うためのプログラム起動はユーザ操作、あるいは自動起動のいずれでも構わない。
【００６５】
まず、コンピュータ装置１０００上で起動されたインストールプログラムは、起動画面を表示する（Ｓ２０１）。
【００６６】
なお、Ｓ２０１も含め、今後述べる画面表示はＧＵＩにより構築されたユーザインタフェイスとする。
【００６７】
Ｓ２０１の起動画面表示後、インストールの確認画面を表示する（Ｓ２０２）。
【００６８】
図６は確認画面表示部Ｓ２０２の動作を表わすフローチャートである。
【００６９】
ここでＳ２０２の処理、確認画面表示モジュールについて詳細に説明する。
【００７０】
まず、マウス、タブレットといった入力機器、あるいはスクリーンタッチ等による設定項目の選択・操作のユーザ入力を判断する（Ｓ３０１）。
【００７１】
Ｓ３０１においてユーザ入力が発生していないと判断した場合はユーザの入力待ちとなる。
【００７２】
Ｓ３０１においてユーザ入力が発生したと判断した場合、選択・操作された設定項目を取得する（Ｓ３０２）。
【００７３】
Ｓ３０２において取得した設定項目の変更に伴い、同一画面上に表示している情報表示項目の中で、ユーザへの通知を強調する項目があるか判断する（Ｓ３０３）。
【００７４】
Ｓ３０３において強調する項目がないと判断した場合は、全ての情報表示項目の表示状態を通常表示状態にする（Ｓ３０４）。
【００７５】
Ｓ３０３において強調する項目があると判断された場合は、該当項目を取得する（Ｓ３０５）。
【００７６】
Ｓ３０５において取得した該強調項目以外の情報表示を通常表示状態にする（Ｓ３０６）。
【００７７】
Ｓ３０５において取得した該強調項目に応じて表示状態を決定する（Ｓ３０７）。
【００７８】
Ｓ３０７で決定する表示状態は、該強調項目が文字列による表示であれば、文字列の表示色を使用環境に応じた目立つ色とする、ビットマップ等を使用した図柄による表示であれば、使用環境に応じた目立つ色線で図柄の周辺部を縁取るといったものである。
【００７９】
Ｓ３０７において決定した表示状態で該強調項目を表示する。（Ｓ３０８）
Ｓ３０４において全ての情報表示を通常表示状態にした後、確認画面を閉じるかを判断する（Ｓ３０９）。
【００８０】
Ｓ３０９において確認画面を閉じないと判断した場合は、再度ユーザ入力待ち状態となる。
【００８１】
Ｓ３０９において確認画面を閉じると判断した場合は、本モジュール処理から抜ける。
【００８２】
ここで図５に戻って説明する。
【００８３】
Ｓ２０２の確認画面表示でインストールの継続が指定されれば、ソフトウェアを構成するモジュールファイルのコピー処理を行う（Ｓ２０３）。
【００８４】
Ｓ２０３のコピー処理終了後、終了確認画面を表示する（Ｓ２０４）。
【００８５】
前記終了画面においては、インストールが正常に行われたことを通知する。
【００８６】
Ｓ２０４の終了確認画面を閉じるとインストール処理を終了する。
【００８７】
Ｓ２０２の確認画面表示でインストールの中止が指定された場合、Ｓ２０４の前記終了確認画面を表示するが、この際はソフトウェアの再インストールが必要な旨を通知する。
【００８８】
実施の形態２に関しての表示例を図８で示す。
【００８９】
【発明の効果】
以上説明した通り本発明によれば、
コンピュータに接続されたプリンタ装置等の周辺機器、あるいはコンピュータ端末自体をコンピュータ上で制御する際の設定手段、設定方法、および記憶媒体に関し、特に、予めコンピュータに接続されたディスプレイに表示されるユーザインタフェイス上で、
同一ユーザインタフェイス上に表示される設定項目に関連した機能説明や補足等の文字や図等の情報表示について、設定項目の変更操作を行った際に、その変更に伴い表示情報の中でユーザへ強調通知するべき情報、あるいは連動して内容が変更された情報の表示状態も変更することにより、
ユーザインタフェイス上での変更操作を行った際に、設定変更に伴う重要な情報に対してのユーザ認識度が向上する効果がある。
【図面の簡単な説明】
【図１】本発明の一実施の形態に係るシステムのブロック図
【図２】プリンタ制御システムにおける出力処理の動作を表わすフローチャート
【図３−１】プリンタ制御システムにおける出力処理方法設定ＧＵＩ画面例
【図３−２】プリンタ制御システムにおけるスプールファイル制御ＧＵＩ画面例
【図３−３】プリンタ制御システムにおけるスプールファイル読取り状況表示ＧＵＩ画面例
【図４】実施の形態１のプリンタ制御システムにおける出力処理方法設定部の動作を表わすフローチャート
【図５】実施の形態１のプリンタ制御システムにおけるガイド表示文字列取得部の動作を表わすフローチャート
【図６】実施の形態２のプリンタ制御システムにおける出力処理方法設定部の動作を表わすフローチャート
【図７】実施の形態１に関しての表示例を示す図
【図８】実施の形態２に関しての表示例を示す図
【符号の説明】
１０００　コンピュータ装置
１００１　ＣＰＵ
１００２　ＲＡＭ
１００３　ＲＯＭ
１００４　ハードディスク記憶装置（ＨＤＤ）
１００５　外部記憶装置
１００６　表示装置
１００７　入力装置
２０００　プリンタドライバ
２００１　出力処理方法設定部
２００２　出力処理方法保存部
２００３　出力処理方法取得部
２００４　出力処理方法切替部
２００５　ビットマップデータ変換部
２００６　スプールファイル書込み
２００７　スプールファイル制御部
２００８　スプールファイル読取り部
２００９　プリンタデータ変換部、
２０１０　送信処理部
２１００　スプールファイル
３０００　プリンタ
３０１０　受信処理部
【図１】
2004030165.tif 000003
【図２】
2004030165.tif 000004
【図３−１】
2004030165.tif 000005
【図３−２】
2004030165.tif 000006
【図３−３】
2004030165.tif 000007
【図４】
2004030165.tif 000008
【図５】
2004030165.tif 000009
【図６】
2004030165.tif 000010
【図７】
2004030165.tif 000011
【図８】
2004030165.tif 000012